(57)【特許請求の範囲】
【請求項１】
ドライヤー本体（１）の内部に設けた通風路（５）の入口部分（３５）が、第２フィルター（３８）と、第２フィルター（３８）の外面を覆う第１フィルター（３７）とで覆われており、
両フィルター（３７・３８）は、それぞれフィルター要素（５１・５３）と、フィルター枠（５２・５４）とを備えており、
第２フィルター（３８）のフィルター枠（５４）は、通風路（５）の入口部分（３５）と、ドライヤー本体（１）に装着した第１フィルター（３７）のフィルター枠（５２）とで挟持固定されており、
第２フィルター（３８）のフィルター枠（５４）の内周面に、第１フィルター（３７）へ向かって拡開する吸風ガイド面（６６）が形成してあり、
フィルター要素（５３）が、第２フィルター（３８）のフィルター枠（５４）の出口側に寄せて配置してあるヘアードライヤー。
【請求項２】
吸風ガイド面（６６）の周縁に連続するフランジ壁（６７）が、通風路（５）の入口部分（３５）に設けた段部（４２）と、第１フィルター（３７）のフィルター枠（５２）とで挟持固定されており、
第２フィルター（３８）のフィルター枠（５４）の出口側にフィルター要素（５３）が配置してある請求項１に記載のヘアードライヤー。
【請求項３】
第２フィルター（３８）のフィルター枠（５４）のフランジ壁（６７）の少なくとも一部に、段部（４２）に連続する装着筒壁（４３）の開口周縁から食み出る指掛部（７７）が設けてある請求項２に記載のヘアードライヤー。
【請求項４】
第２フィルター（３８）のフィルター枠（５４）が、装着筒壁（４３）の内面に嵌め込まれており、
フィルター枠（５４）の外面と装着筒壁（４３）の内面との間に、互いに係合して第２フィルター（３８）の装着状態を維持する係合構造（４６・６８）が設けてある請求項３に記載のヘアードライヤー。
【請求項５】
第２フィルター（３８）のフィルター枠（５４）の出口側に隣接して、異物の侵入を阻止する第３フィルター（３９）が設けてある請求項２、３または４のいずれかひとつに記載のヘアードライヤー。
【発明の詳細な説明】
【技術分野】
【０００１】
本発明は、吸込口が複数個のフィルターからなるフィルター構造で覆ってあるヘアードライヤーに関する。
【背景技術】
【０００２】
この種のフィルター構造を備えたヘアードライヤーは、たとえば特許文献１に公知である。そこでは、吸込口を第１・第２・第３の各フィルターで覆っている。最外面に設けられる第１フィルターのフィルター要素はパンチングメタルで形成してあり、次段の第２フィルターのフィルター要素は、金属メッシュあるいは樹脂メッシュなどの網目間隔が小さな網体で形成してある。最内面に設けられる第３フィルターのフィルター要素は、第１フィルターと同様のパンチングメタルで形成してあり、第１・第２の両フィルターを取り外した状態でヘアードライヤーが使用されるような場合でも、髪や被服が吸い込まれるのを防ぐために設けてある。第１・第２の各フィルター要素は、共通の取付枠に装着してあり、本体ハウジングに対して取付枠ごと着脱することができる。同様のフィルター構造を備えたヘアードライヤーは、特許文献２にも見ることができる。
【０００３】
この種のフィルターは、フィルター要素の目詰まりを防ぐために、時々本体ケースから取り外して清掃する必要があるが、フィルター枠の着脱を容易化することに関して、特許文献３のヘアードライヤーが公知である。そこでは、円形キャップ状に形成したフィルター枠の内面にネット状のフィルター要素を配置しており、ベルマウス状に形成した吸込口の周縁部分に、フィルター枠の内面の上下に設けた係止フックを係止している。吸込口の周縁部分の両側には垂直の切欠が形成してあり、この切欠と対向するフィルター枠の筒壁を内凹み状に弾性変形させることにより、係止フックと周縁部分との係止状態を解除して、フィルター枠を本体ケースから容易に取り外すことができる。
【０００４】
本発明に係るヘアードライヤーの基本的な構造は、特許文献４のヘアードライヤーに公知である。
【先行技術文献】
【特許文献】
【０００５】
【特許文献１】特開２００８−３０７２２１号公報（段落番号００１７〜００２２、図３）
【特許文献２】登録実用新案第３０４１３９６号公報（段落番号００１１、図２）
【特許文献３】実開昭５９−１０８５０３号公報（第４頁８〜１２行、第１図）
【特許文献４】特開２００９−００９８１０号公報（段落番号００１１、図２）
【発明の概要】
【発明が解決しようとする課題】
【０００６】
特許文献１のフィルター構造によれば、第１・第２の各のフィルター要素が共通の取付枠に装着してあるので、取付枠を着脱するだけで、両フィルター要素を本体ハウジングから分離できる。しかし、取付枠を本体ハウジングから取り外すとき、ユーザーの不注意によって取付枠が大きく撓み変形することがあり、そのような場合に第２フィルターのフィルター要素を傷めることがある。また、第２フィルターを第１フィルターの内面に、ごく小さな隙間を間にして隣接配置するので、両フィルターのフィルター要素の間に早期に塵埃が堆積しやすい。特許文献２のフィルター構造にも同様の傾向がある。
【０００７】
特許文献３のフィルター構造によれば、フィルター枠の左右の筒壁を内凹み状に弾性変形させることによりフィルター枠の係止状態を解除して、フィルターを本体ケースから容易に取り外すことができる。しかし、左右の筒壁を弾性変形させるとき、フィルター枠の全体が大きく撓み変形する。そのため、網目間隔の小さなフィルター要素がフィルター枠の着脱時に撓んで破損するおそれがある。
【０００８】
本発明の目的は、フィルターを本体ケースに対して確実に固定しながら、必要時にはフィルターの着脱を簡便に行なうことができ、フィルターの着脱に伴なうフィルター枠やフィルター要素の破損等を解消できるヘアードライヤーを提供することにある。
【課題を解決するための手段】
【０００９】
本発明に係るヘアードライヤーは、ドライヤー本体１の内部に設けた通風路５の入口部分３５が、第２フィルター３８と、第２フィルター３８の外面を覆う第１フィルター３７とで覆ってある。両フィルター３７・３８は、それぞれフィルター要素５１・５３と、フィルター枠５２・５４とを備えている。第２フィルター３８のフィルター枠５４は、通風路５の入口部分３５と、ドライヤー本体１に装着した第１フィルター３７のフィルター枠５２とで挟持固定する。第２フィルター３８のフィルター枠５４の内周面に、第１フィルター３７へ向かって拡開する吸風ガイド面６６を形成する。なお、通風路５には、乾燥風を送給する送風ユニット６や、ヒーターユニット７などが設けてある。フィルター要素５３を、第２フィルター３８のフィルター枠５４の出口側に寄せて配置している。
【００１０】
具体的には図１に示すように、吸風ガイド面６６の周縁に連続するフランジ壁６７を、通風路５の入口部分３５に設けた段部４２と、第１フィルター３７のフィルター枠５２とで挟持固定する。第２フィルター３８のフィルター枠５４の出口側にフィルター要素５３を配置する。
【００１１】
第２フィルター３８のフィルター枠５４のフランジ壁６７の少なくとも一部に、段部４２に連続する装着筒壁４３の開口周縁から食み出る指掛部７７を設ける。
【００１２】
第２フィルター３８のフィルター枠５４は、装着筒壁４３の内面に嵌め込む。フィルター枠５４の外面と装着筒壁４３の内面との間に、互いに係合して第２フィルター３８の装着状態を維持する係合構造４６・６８を設ける（図４参照）。
【００１３】
第２フィルター３８のフィルター枠５４の出口側に隣接して、異物の侵入を阻止する第３フィルター３９を設ける。
【００１４】
第３フィルター３９は、硬質のフィルター枠５６と、フィルター要素５５とで構成する。
【００１５】
通風路５は、送風ユニット６のファンケース２８と、ファンケース２８の入口側に連続する入口筒３４とを含む。入口筒３４に設けた段部４２および装着筒壁４３に、第２フィルター３８を着脱可能に装着する。段部４２に隣接して配置した第３フィルター３９のフィルター枠５６を入口筒３４と一体に設ける。
【００１６】
通風路５を構成する筒壁の周面の複数個所に弾性変形可能な取付け舌片４８を突設する（図５参照）。第１フィルター３７のフィルター枠５２の内面の複数個所に、取付け舌片４８と係合するリブ状の突起８０を設ける。リブ状の突起８０を取付け舌片４８と係合することにより、第１フィルター３７をドライヤー本体１に固定する。なお、通風路５を構成する筒壁とは、実施例における入口筒３４の前段筒壁４０のことである。
【発明の効果】
【００１７】
本発明においては、通風路５の入口部分３５を第１・第２の両フィルター３７・３８で覆い、第２フィルター３８のフィルター枠５４を、通風路５の入口部分３５と、第１フィルター３７のフィルター枠５２とで固定するので、両フィルター３７・３８の着脱を個別に行なうことができる。そのため、第１フィルター３７を着脱するとき、そのフィルター枠５２が大きく撓んだとしても、第２フィルター３８のフィルター要素５３やフィルター枠５４に外力が作用することはない。したがって、第１・第２の各フィルター３７・３８を本体ケース２２に対して確実に固定しながら、必要時には各フィルター３７・３８の着脱を簡便に行なうことができ、各フィルター３７・３８の着脱に伴なって、第２フィルター３８のフィルター要素５３やフィルター枠５４が傷つくのを解消できる。これにより、フィルター要素５３やフィルター枠５４の損傷に伴なう騒音の発生や、風量の低下を一掃できる。
【００１８】
また、第２フィルター３８のフィルター枠５４を利用して、その内周面に第１フィルター３７へ向かって拡開する吸風ガイド面６６を形成するので、吸込口３から通風路５へ向かって吸い込まれる空気を吸風ガイド面６６で円滑に流動案内して空気の吸い込み効率を向上でき、その分だけ吹き出し風量を増加できる。さらに、各フィルター３７・３８の着脱を個別に行なうので、第１フィルター３７の着脱時に、吸風ガイド面６６が撓み変形することもない。
【００１９】
第２フィルター３８のフランジ壁６７を、段部４２と第１フィルター３７のフィルター枠５２とで挟持固定し、この挟持個所から遠く離れたフィルター枠５４の出口側にフィルター要素５３を配置すると、第２フィルター３８の着脱時に、フィルター要素５３に外力が及ぶのを回避できる。第２フィルター３８を取り外すとき、たとえばフランジ壁６７が大きく撓んだとしても、通気開口が小さく繊細なフィルター要素５３を傷めることもなく第２フィルター３８を着脱でき、したがって、第２フィルター３８の塵埃除去機能を長期にわたって維持できる。
【００２０】
フランジ壁６７の少なくとも一部に指掛部７７を設けると、指掛部７７に指先をあてがった状態でフィルター枠５４を装着筒壁４３から確実に分離操作でき、第２フィルター３８の取り外し操作を、工具等を使用する必要もなく簡単に行なえる。
【００２１】
フィルター枠５４の外面と装着筒壁４３の内面との間に係合構造４６・６８を設けると、フィルター枠５４を装着筒壁４３の内面に嵌め込んだ状態において、先の係合構造４６・６８によって第２フィルター３８の装着状態を維持できる。そのため、第１・第２の両フィルター３７・３８を着脱する際に、第２フィルター３８が不用意に装着筒壁４３から脱落するのを解消でき、各フィルター３７・３８のメンテナンス時の着脱を的確に行なえる。
【００２２】
第２フィルター３８のフィルター枠５４の出口側に第３フィルター３９を設けると、第１・第２の両フィルター３７・３８を取り外した状態でヘアードライヤーが使用される異常時にでも、髪や被服などの異物が通風路５内へ吸い込まれるのを防止して、安全性を向上できる。とくに、第３フィルター３９を、硬質のフィルター枠５６とフィルター要素５５とで構成すると、髪や被服などの吸い込みをフィルター要素５５で防止しながら、手指が通風路５内へ差し込まれるのをフィルター枠５６で防いで、いたずら等による怪我を防止でき、安全性をさらに向上できる。
【００２３】
ファンケース２８とともに通風路５を構成する入口筒３４に、第２フィルター３８と第３フィルター３９を設けると、第２フィルター３８を入口筒３４から分離することにより、第３フィルター３９を入口筒３４の開口に露出させることができる。したがって、サービスセンターに対してユーザーからフィルター要素５５の交換要請があるような場合に、入口筒３４をファンケース２８から分離し、さらに第３フィルター３９を入口筒３４の開口に露出させた状態で、フィルター要素５５の交換作業を簡便に行なうことができる。また、第３フィルター３９のフィルター枠５６を入口筒３４と一体に設けることにより、フィルター構造を簡素化してコスト削減に寄与できる。
【００２４】
通風路５を構成する筒壁に取付け舌片４８を設け、取付け舌片４８と係合する突起８０をフィルター枠５２の内面に設けて、これら両者４８・８０でドライヤー本体１に装着した第１フィルター３７を固定保持すると、第１フィルター３７の着脱を簡便に行なえる。これは、第１フィルター３７を本体ケース２２に着脱するとき、取付け舌片４８が弾性変形することで突起８０を係脱できるからである。また、ファンケース２８とは別に設けた入口筒３４に取付け舌片４８を設ける場合には、ファンケース２８の内面形状が成形後の収縮によって歪むのをよく防止できる。したがって、ファン２９とファンケース２８の隙間がばらつくのを抑止して、ファン２９による送風量を向上でき、同時に騒音の発生を抑止して静音化できる。第１フィルター３７を着脱するときの外力が、ファンケース２８に及ぶこともない。弾性変形可能な取付け舌片４８で第１フィルター３７の装着状態を維持するので、第１フィルター３７に外力や落下衝撃が作用する場合でも、これらの外力や衝撃を取付け舌片４８で吸収して、第１フィルター３７が本体ケース２２から分離するのを確実に防止できる。
【図面の簡単な説明】
【００２５】
【図１】本発明に係るヘアードライヤーのフィルター構造を示す縦断側面図である。
【図２】ヘアードライヤーの側面図である。
【図３】ドライヤー本体の縦断側面図である。
【図４】第１〜第３のフィルターを分離した状態の分解断面図である。
【図５】第１〜第３のフィルターを分離した状態の背面図である。
【図６】第３のフィルターを本体ケースから分離した状態の背面図である。
【図７】第３のフィルターの別実施例を示す背面図である。
【図８】フィルター構造のさらに別の実施例を示す縦断側面図である。
【発明を実施するための形態】
【００２６】
（実施例）  図１ないし図６は本発明に係るヘアードライヤーの実施例を示す。本発明における前後、左右、上下とは、図２に示す交差矢印と、各矢印の近傍に表示した前後、左右、上下の文字表示に従うこととする。なお、図２において紙面と直行する方向が左右となる。
【００２７】
図２においてヘアードライヤーは、前後に長い中空筒状のドライヤー本体１と、ドライヤー本体１の下面後側に設けたグリップ２とを有する。ドライヤー本体１の後端には乾燥風の吸込口３が設けられ、ドライヤー本体１の前端には吹出口４が設けてある。図３に示すように、ドライヤー本体１の内部には通風路５が設けてあり、その内部に乾燥風を送給する送風ユニット６と、送風ユニット６から送出される乾燥風を加熱するヒーターユニット７などが設けてある。ヒーターユニット７の近傍上側には、マイナスイオンを生成するイオン発生装置８や、周辺部分の空気の熱を吸熱するペルチェ素子９などが設けてある。符号１０はヒートシンク、符号１１はイオン発生装置８およびペルチェ素子９を駆動する駆動回路、符号１２は吹出口４に着脱されるノズルである。
【００２８】
グリップ２の前後面には、送風ユニット６およびヒーターユニット７の運転状態を切り換える第１・第２のスイッチノブ１５・１６が配置してある。第１スイッチノブ１５は下端のオフ位置から、冷風、弱温風、強温風の順に上方へ三段階にスライド切り換えることができ、第２スイッチノブ１６は、下方のオフ位置と上方のターボ位置とに切り換えることができる。
【００２９】
図３に示すように、通風路５の上部には副通風路１９が設けてあり、副通風路１９の内部にヒートシンク１０が設けてある。送風ユニット６から送給される常温の乾燥風の一部は副通風路１９の内部に導入され、ヒートシンク１０と熱交換を行なったのち、前部上面の排風口２０からケース外へ排出される。イオン発生装置８とヒーターユニット７との間には、ヒーターユニット７から放射される輻射熱を遮断する熱遮断板１３が設けてある。
【００３０】
ドライヤー本体１は、その大半を占める本体ケース２２と、本体ケース２２の前端および後端にそれぞれ装着されるリング状の前キャップ２３および後キャップ２４（フィルター枠５２）と、本体ケース２２の上面を覆う上カバー２５などで構成する。本体ケース２２は、左右に分割される左ケース２２ａと右ケース２２ｂを接合して構成してある（図５参照）。後キャップ２４の前後長さは、上面で小さく、下面で大きく形成してあり、その後面は部分球面状に膨出してある。後キャップ２４の本体ケース１との接合縁は、後突湾曲線状に形成してあり、下周面に指掛け用のリブ２６が設けてある。
【００３１】
送風ユニット６は、円筒状のファンケース２８と、その内部に配置される軸流型のファン２９と、ファン２９を回転駆動するモーター３０とで構成する。ヒーターユニット７は、十文字状に組んだ絶縁板製のヒーター基板３１と、ヒーター基板３１に螺旋状に巻装されるヒーター線（ニクロム線）３２と、ヒーター基板３１およびヒーター線３２の周囲を覆うヒーター筒３３などで構成する。先に述べた通風路５は、ファンケース２８と、ファンケース２８の前部に連続するヒーター筒３３と、ファンケース２８の後部に連続する入口筒３４とで区画してある。
【００３２】
髪や衣服の一部が吸い込まれるのを防ぎ、さらに塵埃が通風路５内へ入り込むのを防ぐために、図４および図５で示すように、入口筒３４の入口部分３５を第１フィルター３７、第２フィルター３８、および第３フィルター３９で覆っている。入口筒３４は、ファンケース２８の後部に連続する断面円形の前段筒壁４０と、前段筒壁４０の前部に連続する連結壁４１と、前段筒壁４０の後部に設けられる段部４２および装着筒壁４３と、装着筒壁４３の上面に突設される板状の締結片４４を一体に備えている。また、段部４２の内縁に連続して、後述するフィルター要素５５を固定する第２段部４５を設け、この段部４５と面一になる状態でフィルター枠５６を前段筒壁４０と一体に形成している。
【００３３】
前段筒壁４０の後部の開口内縁には、第２フィルター３８を固定する係合リブ４６が周方向の３個所に形成してある（図４参照）。また、連結壁４１の前端面の周方向３個所には、Ｌ字状の連結爪４７が設けてあり（図６参照）、さらに、前段筒壁４０の周面３個所には台形状の弾性変形可能な取付け舌片４８が、本体ケース２２の前後中心軸と直交する向きに突設してある。このように、取付け舌片４８は、通風路５を構成する筒壁（前段筒壁４０）の周面に形成してある。連結爪４７および取付け舌片４８は、入口筒３４を本体ケース２２に連結し、あるいは後キャップ２４の装着状態を入口筒３４で保持するために設けるが、その詳細は後述する。
【００３４】
第１フィルター３７は、フィルター要素５１とフィルター枠５２とで構成してあり、この実施例では、先の後キャップ２４をフィルター枠５２として利用した。第２フィルター３８および第３フィルター３９も、それぞれフィルター要素５３・５５とフィルター枠５４・５６で構成してある。
【００３５】
入口筒３４と正対する後キャップ２４（フィルター枠５２）の球面壁には、吸込口３が開口してあり、その開口面をフィルター要素５１で覆っている。フィルター要素５１は、アルミニウム製のパンチングメタルを素材にして形成してあり、後ろ向きに膨出する部分球面状のろ過壁５９と、ろ過壁５９の周縁に連続するリング壁６０とを一体に備えている。ろ過壁５９におけるパンチング開口（通気開口）の幅寸法は４ｍｍであり、各開口を区分する通気枠の幅は１ｍｍである。フィルター要素５１は、後キャップ２４に設けた段部６１に嵌め込み装着され、分離不能に固定してある。段部６１の内縁に連続して、第２フィルター３８用の挟持リング６２が前向きに突設してある。
【００３６】
図４および図５に示すように、第２フィルター３８のフィルター枠５４は、リング状の枠本体６４と、枠本体６４と共同してフィルター要素５３を挟持するリング状の押え枠６５とからなる。枠本体６４の内面には、第１フィルターへ向かってベルマウス状に拡開する吸風ガイド面６６が形成してある。また、吸風ガイド面６６の周縁に連続してフランジ壁６７が張り出してあり、枠本体６４の周囲に、先に説明した係合リブ４６と係合する係合溝６８が周回状に形成してある。係合リブ４６と係合溝６８とが、第２フィルター３８の装着状態を維持する係合構造を構成している。押え枠６５には十文字状の支持腕６９が一体に設けてある。
【００３７】
第２フィルター３８のフィルター要素５３は、合成樹脂製の単糸を平織りして形成してあり、通気開口の開口幅は８００μｍ、通気枠の幅（単糸の直径）は１５０μｍである。フィルター要素５３は、合成樹脂製の単糸を素材とする以外に、金属線材を素材にして形成することができる。フィルター要素５３を、枠本体６４の出口側に設けた凹部７０（図１参照）に装着し、その外面に押え枠６５をあてがった状態で、押え枠６５を枠本体６４およびフィルター要素５３に熱溶着することにより、３個の部品を一体化して第２フィルター３８とすることができる。
【００３８】
上記のように、第２フィルター３８のフィルター要素５３における通気開口および通気枠の寸法を、第１フィルター３７のフィルター要素５１における通気開口および通気枠の寸法より小さく設定すると、傷つきやすい前者フィルター要素５３を、頑丈な後者フィルター３７で保護できる。また、第１フィルター３７のフィルター要素５１で塵埃等を前段ろ過したのち、第２フィルター３８のフィルター要素５３でさらに精細なろ過処理を行なって、通風路５内に塵埃等が入り込むのを防止するためである。
【００３９】
第３フィルター３９のフィルター要素５５は、先に説明した第２フィルター３８のフィルター要素５３と同じ素材で形成してあり、フィルター枠５６の後面全体を覆う状態で第２段部４５（図１参照）に装着され、第２段部４５およびフィルター枠５６に熱溶着して固定してある。フィルター枠５６は、４個の同心円状のリング枠５６ａと、リング枠５６ａの中心から放射方向へ伸びる５個の放射枠５６ｂとで構成してある（図６参照）。なお、第３フィルター３９は、フィルター要素５５を省略してフィルター枠５６のみで構成することができる。その場合には、第２フィルター３８を通り抜けた小さな塵埃を捕捉できないが、指先や衣服の一部がファン２９側へ入り込むのを防止できる。したがって、第１・第２の両フィルター３７・３８を取り外した状態でヘアードライヤーが使用されるような異常時でも、髪や被服などの異物が通風路５内へ吸い込まれるのを防止して、安全性を向上できる。
【００４０】
以下に、入口筒３４と、第１〜第３の各フィルター３７〜３９の組み付け手順を説明する。なお、本体ケース２２の内部には、送風ユニット６やヒーターユニット７などの機能部品が組み付けられ、本体ケース２２の上部には上カバー２５が固定してあるものとする。まず、図６に想像線で示すように入口筒３４を本体ケース２２の後面に正対させ、その連結爪４７を本体ケース２２の爪溝７４に差し込んだのち、入口筒３４を時計回転方向へ回転させて、連結爪４７を爪溝７４の周縁壁に係合する。これにより、入口筒３４の締結片４４が上カバー２５の左右長に設けたねじボス７５と前後に正対するので、締結片４４に挿通したビス７６をねじボス７５にねじ込むことにより、入口筒３４を分離不能に固定できる。
【００４１】
次に、第２フィルター３８を段部４２に嵌め込み、その周面に設けた係合溝６８を装着筒壁４３の係合リブ４６と係合して、第２フィルター３８を入口筒３４に固定する。この装着状態において、枠本体６４のフランジ壁６７の周縁は、装着筒壁４３の開口周縁よりも食み出ており、この食み出し部分を指掛部７７とすることができる（図１参照）。次に、図１に示すように、後キャップ２４の上端内面に設けた連結溝８１を、ねじボス７５に設けた連結突起８２に係合し、吸込口３が第２フィルター３８と正対する状態で、後キャップ２４を入口筒３４および本体ケース２２の後面に被せ付ける。このとき、後キャップ２４の内周面の３個所に設けた連結リブ（リブ状の突起）８０を、入口筒３４の取付け舌片４８に係合して、後キャップ２４を入口筒３４および本体ケース２２に固定する。連結リブ８０を取付け舌片４８に係合するとき、連結リブ８０は取付け舌片４８を前後方向に弾性変形させながら乗り越え、以後は、取付け舌片４８の弾性力で係合状態が維持される。後キャップ２４を入口筒３４から取り外す場合にも、連結リブ８０は取付け舌片４８を前後方向に弾性変形させながら乗り越えて、取付け舌片４８との係合状態を解除する。上記のように、後キャップ２４を入口筒３４および本体ケース２２に対して着脱する場合には、突出寸法が大きな取付け舌片４８が弾性変形することで連結リブ８０と係脱できる。
【００４２】
上記のように、後キャップ２４を固定した状態においては、挟持リング６２の前端が枠本体６４のフランジ壁６７に接当して、第２フィルター３８を入口部分３５と、第１フィルター３７のフィルター枠５２とで挟持固定する。詳しくは、フィルター枠５４のフランジ壁６７を、入口部分３５に設けた段部４２とフィルター枠５２に設けた挟持リング６２とで挟持固定する。したがって、第２フィルター３８は、係合リブ４６と係合溝６８とで抜外れ規制され、さらに後キャップ２４によって二重に抜外れ規制されることになる。したがって、第２フィルター３８が落下衝撃を受けて段部４２から脱落することはない。また、後キャップ２４は、入口筒３４に設けた３個の取付け舌片４８と、ねじボス７５に設けた連結突起８２とで内面の４個所が強固に係合保持される。そのため、落下衝撃を受けるとき後キャップ２４が本体ケース２２から分離することはない。
【００４３】
第１〜第３の各フィルター３７・３８・３９の清掃を行なう場合には、後キャップ２４を本体ケース２２から取り外し、さらに第２フィルター３８を段部４２および装着筒壁４３から取り外す。具体的には、指掛け用のリブ２６に指先を引っ掛けた状態で、後キャップ２４の下面側をケース後方へ向かって引っ張る。これにより、連結リブ８０が取付け舌片４８を弾性変形させながら後方へ乗り越えて、連結リブ８０と取付け舌片４８との係合が解除されるので、この状態の後キャップ２４を上方へスライドすることにより、連結溝８１と連結突起８２との係合状態を解除して、後キャップ２４を本体ケース２２から取り外すことができる。
【００４４】
次に、装着筒壁４３の周縁から張り出している指掛部７７に指先を引っ掛けて、フィルター枠５４を後傾させることにより、係合溝６８と係合リブ４６の係合を解除して第２フィルター３８を装着筒壁４３から取り外す。フィルター枠５４を後傾するときは、フランジ壁６７および吸風ガイド面６６が弾性変形しながら、両者の４６・６８の係合状態が解除される。そのため、フィルター要素５３に外力が作用するのを避けながら、第２フィルター３８を取り外すことができる。
【００４５】
上記のように各フィルター３７・３８を取り外した状態で、第１フィルター３７のフィルター要素５１の内外面を払拭清掃し、あるいは水洗いすることにより、パンチング開口に引っ掛かった塵埃等を除去する。また、第２フィルター３８の全体を水洗い清掃して、その通気開口に引っ掛かった塵埃等を除去する。さらに、第３フィルター３９のフィルター要素の通気開口に引っ掛かった塵埃等を払拭清掃し、あるいは真空掃除機で吸着除去する。
【００４６】
図７に第３フィルター３９の別実施例を示す。そこでは、第３フィルター３９のフィルター要素５５を、第１フィルター３７のフィルター要素５１と同様のアルミニウム製のパンチングメタルで構成して、これを入口筒３４の第２段部４５に嵌め込み固定した。他は先の実施例と同じであるので、同じ部材に同じ符号を付してその説明を省略する。以下の実施例においても同じとする。
【００４７】
図８はフィルター構造のさらに別の実施例を示す。そこでは、入口筒３４をファンケース２８と一体に形成して、その入口部分３５に第２フィルター３８を装着した。第２フィルター３８は、図１から図６で説明した第２フィルター３８と同様に構成し、段部４２および装着筒壁４３に対して着脱できるようにした。図８においては、第３フィルター３９を省略したが、必要があれば、前段筒壁４０と一体に形成することができる。
【００４８】
上記の実施例では、フランジ壁６７の周縁全体を装着筒壁４３の周縁から食み出させて指掛部７７としたが、その必要はなく、指掛部７７は、フランジ壁６７の周縁の少なくとも１個所に設けてあればよい。第１フィルター３７におけるフィルター要素５１は、フィルター枠５２と一体に成形することができる。また、第１フィルター３７のフィルター枠５２を後キャップ２４とは別体に形成して、後キャップ２４あるいは入口筒３４に装着することができる。
【符号の説明】
【００４９】
１  ドライヤー本体
３  吸込口
４  吹出口
５  通風路
２２  本体ケース
２４  後キャップ（フィルター枠）
２８  ファンケース
２９  ファン
３４  入口筒
３５  入口部分
３７  第１フィルター
３８  第２フィルター
３９  第３フィルター
４２  段部
４３  装着筒壁
５１・５３・５５  フィルター要素
５２・５４・５６  フィルター枠
【図１】
0005612941.tif 000002
【図２】
0005612941.tif 000003
【図３】
0005612941.tif 000004
【図４】
0005612941.tif 000005
【図５】
0005612941.tif 000006
【図６】
0005612941.tif 000007
【図７】
0005612941.tif 000008
【図８】
0005612941.tif 000009